(57)【要約】【課題】換気、乾燥および暖房の各モードの運転が良好にできるように開閉するとともに、浴室と他室の換気風量のバランスを適切にとることができる風量調節手段を、本体および化粧パネルを厚くすることなく、備えた浴室換気乾燥機を提供することを目的としている。【解決手段】換気用送風機のファンケーシングを本体６の下面側から覆い、他室側吸気口とファンケーシングのファン吸込口を連通する換気風路形成カバーを設け、換気風路形成カバーに浴室側吸気口を形成し、浴室側吸気口に、複数枚のシャッター板１４を連動回動して開閉および開き角度を調節する風量調節手段１５を設けたことにより、換気、乾燥および暖房の各モードの運転が良好になされるとともに、浴室と他室の換気風量のバランスを、本体を高くすることなく、かつ、化粧パネルを厚くすることなく、適切にとることができる浴室換気乾燥機を提供できる。【選択図】図２
2010038427.tif 000002
【特許請求の範囲】
【請求項１】
浴室の空気を吸い込んで浴室内に吹き出す循環用送風機と、前記浴室および浴室以外の他室の空気を吸い込んで室外へ排気する換気用送風機とを本体内に設け、前記本体の側面に前記他室とダクトを介して連通接続される他室側吸気口を形成し、前記本体の下面側に装着される化粧パネルを備えた浴室換気乾燥機であって、前記換気用送風機のファンケーシングを前記本体の下面側から覆い、前記他室側吸気口と前記ファンケーシングのファン吸込口を連通する換気風路形成カバーを設け、前記換気風路形成カバーに浴室側吸気口を形成し、前記浴室側吸気口に、複数枚のシャッター板を連動回動して開閉および開き角度を調節する風量調節手段を設けたことを特徴とする浴室換気乾燥機。
【請求項２】
複数枚のシャッター板を連動回動する駆動手段を設け、前記駆動手段によってシャッター板の開き角度を設定する請求項１に記載の浴室換気乾燥機。
【請求項３】
複数枚のシャッター板を、複数組のシャッター板組に区分し、それぞれの前記シャッター板組に駆動手段を設けた請求項２に記載の浴室換気乾燥機。
【請求項４】
浴室側吸気口を換気風路形成カバーの下面からシャッター板の回動高さより奥まった位置に設けた請求項１に記載の浴室換気乾燥機。
【請求項５】
浴室側吸気口をファン吸込口に対し、平面視重ならない位置に形成した請求項１または４に記載の浴室換気乾燥機。
【請求項６】
複数枚のシャッター板に、全閉時に互いに重なり合う重ね代を設けた請求項１に記載の浴室換気乾燥機。
【請求項７】
浴室の戸を閉めると、連動して風量調節手段が全閉状態に切り替わる構成とした請求項１または６に記載の浴室換気乾燥機。
【発明の詳細な説明】
【技術分野】
【０００１】
本発明は、浴室の天井裏に本体を埋め込んで設置され、浴室の換気をするとともに浴室以外の他室の換気もする換気用ファンを備えた浴室換気乾燥機に関する。
【背景技術】
【０００２】
浴室と、浴室以外の他室（洗面所、トイレ等）との複数の室の換気を行う換気用送風機を設けた浴室換気乾燥機は、浴室と他室の換気風量のバランスを適切にとるために、浴室側吸気口に設けたダンパーの開度を調節して、浴室からの吸気量を調節しているものがある（例えば、特許文献１参照）。
【０００３】
また、他室と連通する換気風路を形成する部材の先端開口と、換気用送風機のファン吸込口との重なり量（開口連通量）を調節して他室の吸気量を調節し、それにともなって浴室側の吸気量を増減してバランスをとる構成のものがある（例えば、特許文献２参照）。
【特許文献１】特開２００７−２４４４８号公報
【特許文献２】特開平１０−７３２９８号公報
【発明の開示】
【発明が解決しようとする課題】
【０００４】
このような従来の浴室換気乾燥機では、特許文献１に記載のものでは、循環用送風機と換気用送風機の２台の送風機を本体内に２段積みにしているので、本体の高さが高くなり、ダンパーのほとんどを本体の内部で回動するように設けることができるが、本体は高さの低い浴室の天井裏に入らなく設置できない場合があり、仮に、この構成のダンパーを２台の送風機を水平に並設した本体に設けた場合は、本体の高さは低くなるが本体内の空間は少なくなり、ダンパーは本体外にも回動範囲を広げざるを得なくなる。そのため、化粧パネルが厚くなるという課題が生じてくる。なお、ダンパーを横方向に細長くすれば、その回動範囲を小さくできるが、開口のアスペクト比が大きくなり、開口の圧力損失が増加して性能が低下してしまうという課題がある。
【０００５】
また、特許文献２に記載のものは、本体の高さを低くでき、換気風路を形成する部材は水平方向に移動するので化粧パネルも薄くすることができるが、換気風路を形成する部材は、浴室と他室の換気風量のバランスをとるだけであり、換気用送風機を停止する入浴時や循環用送風機だけを運転する暖房モードにも開口したままであるという課題がある。
【０００６】
本発明は、このような従来の課題を解決するものであり、換気、乾燥および暖房の各モードの運転が良好にできるように開閉するとともに、浴室と他室の換気風量のバランスを適切にとることができる風量調節手段を、本体および化粧パネルを厚くすることなく、備えた浴室換気乾燥機を提供することを目的とする。
【課題を解決するための手段】
【０００７】
本発明の浴室換気乾燥機は、上記目的を達成するために、浴室の空気を吸い込んで浴室内に吹き出す循環用送風機と、前記浴室および浴室以外の他室の空気を吸い込んで室外へ排気する換気用送風機とを本体内に設け、前記本体の側面に前記他室とダクトを介して連通接続される他室側吸気口を形成し、前記本体の下面側に装着される化粧パネルを備えた浴室換気乾燥機であって、前記換気用送風機のファンケーシングを前記本体の下面側から覆い、前記他室側吸気口と前記ファンケーシングのファン吸込口を連通する換気風路形成カバーを設け、前記換気風路形成カバーに浴室側吸気口を形成し、前記浴室側吸気口に、複数枚のシャッター板を連動回動して開閉および開き角度を調節する風量調節手段を設けたものである。
【０００８】
また、他の手段は、複数枚のシャッター板を連動回動する駆動手段を設け、前記駆動手段によってシャッター板の開き角度を設定するものである。
【０００９】
また、他の手段は、複数枚のシャッター板を、複数組のシャッター板組に区分し、それぞれの前記シャッター板組に駆動手段を設けたものである。
【００１０】
また、他の手段は、浴室側吸気口を換気風路形成カバーの下面からシャッター板の回動高さより奥まった位置に設けたものである。
【００１１】
また、他の手段は、浴室側吸気口をファン吸込口に対し、平面視重ならない位置に形成したものである。
【００１２】
また、他の手段は、複数枚のシャッター板に、全閉時に互いに重なり合う重ね代を設けたものである。
【００１３】
また、他の手段は、浴室の戸を閉めると、連動して風量調節手段が全閉状態に切り替わる構成としたものである。
【発明の効果】
【００１４】
本発明によれば、浴室の空気を吸い込んで浴室内に吹き出す循環用送風機と、前記浴室および浴室以外の他室の空気を吸い込んで室外へ排気する換気用送風機とを本体内に設け、前記本体の側面に前記他室とダクトを介して連通接続される他室側吸気口を形成し、前記本体の下面側に装着される化粧パネルを備えた浴室換気乾燥機であって、前記換気用送風機のファンケーシングを前記本体の下面側から覆い、前記他室側吸気口と前記ファンケーシングのファン吸込口を連通する換気風路形成カバーを設け、前記換気風路形成カバーに浴室側吸気口を形成し、前記浴室側吸気口に、複数枚のシャッター板を連動回動して開閉および開き角度を調節する風量調節手段を設けたことにより、換気、乾燥および暖房の各モードの運転が良好になされるとともに、浴室と他室の換気風量のバランスを、本体を高くすることなく、かつ、化粧パネルを厚くすることなく、適切にとることができるという効果のある浴室換気乾燥機を提供することができる。
【００１５】
また、複数枚のシャッター板を連動回動する駆動手段を設け、前記駆動手段によってシャッター板の開き角度を設定することにより、駆動手段の回動角度を設定する操作をするだけで、シャッター板の開き角度を設定することができ、浴室と他室とのバランスを容易にとることができるという効果のある浴室換気乾燥機を提供することができる。
【００１６】
また、複数枚のシャッター板を、複数組のシャッター板組に区分し、それぞれの前記シャッター板組に駆動手段を設けたことにより、各運転モードに応じてきめ細かな風量調節をして、最適な吸気状態とすることができるという効果のある浴室換気乾燥機を提供することができる。
【００１７】
また、浴室側吸気口を換気風路形成カバーの下面からシャッター板の回動高さより奥まった位置に設けたことにより、浴室の換気風量を他室よりも多くすることが要求されるが、浴室からの吸気性能を化粧パネルを厚くすることなく確保したうえで、他室との適切なバランスをとることができるという効果のある浴室換気乾燥機を提供することができる。
【００１８】
また、浴室側吸気口をファン吸込口に対し、平面視重ならない位置に形成したことにより、浴室と他室の換気風量の適切なバランスをとることができ、また、ファン吸込口から発生する騒音を低減することができるという効果のある浴室換気乾燥機を提供することができる。
【００１９】
また、複数枚のシャッター板に、全閉時に互いに重なり合う重ね代を設けたことにより、風量調節手段の気密性が向上し、全閉時の運転モードの運転状態が良好なものとなるという効果のある浴室換気乾燥機を提供することができる。
【００２０】
また、浴室の戸を閉めると、連動して風量調節手段が全閉状態に切り替わる構成としたことにより、入浴時の浴室の換気による不快感をなくすことができるという効果のある浴室換気乾燥機を提供することができる。
【発明を実施するための最良の形態】
【００２１】
本発明の請求項１記載の浴室換気乾燥機は、浴室の空気を吸い込んで浴室内に吹き出す循環用送風機と、前記浴室および浴室以外の他室の空気を吸い込んで室外へ排気する換気用送風機とを本体内に設け、前記本体の側面に前記他室とダクトを介して連通接続される他室側吸気口を形成し、前記本体の下面側に装着される化粧パネルを備えた浴室換気乾燥機であって、前記換気用送風機のファンケーシングを前記本体の下面側から覆い、前記他室側吸気口と前記ファンケーシングのファン吸込口を連通する換気風路形成カバーを設け、前記換気風路形成カバーに浴室側吸気口を形成し、前記浴室側吸気口に、複数枚のシャッター板を連動回動して開閉および開き角度を調節する風量調節手段を設けたこととしたものであり、風量調節手段の開閉によって換気、乾燥および暖房の各モードの運転が良好な状態に切り替えられるとともに、浴室側吸気口および他室側吸気口とファン吸込口を連通させる換気風路形成カバーに設けた風量調節手段によって、浴室と他室の換気風量のバランスを適切にとることができ、しかも、風量調節手段が複数枚のシャッター板によって構成されることにより、開閉における回動範囲が１枚のダンパーに比べて大幅に小さくなるという作用を有する。
【００２２】
また、複数枚のシャッター板を連動回動する駆動手段を設け、前記駆動手段によってシャッター板の開き角度を設定するとしたものであり、駆動手段の回動角度を設定することで、シャッター板の開き角度を設定することとなるという作用を有する。
【００２３】
また、複数枚のシャッター板を、複数組のシャッター板組に区分し、それぞれの前記シャッター板組に駆動手段を設けたとしたものであり、換気、乾燥または常時換気等の運転モードに応じて最適な吸気状態となるように、個々のシャッター組の開閉および開き角度を設定するという作用を有する。
【００２４】
また、浴室側吸気口を換気風路形成カバーの下面からシャッター板の回動高さより奥まった位置に設けたとしたものであり、本体の下面側に装着する化粧パネルと換気風路形成カバーに形成する浴室側吸気口との間に、換気風路としての空間を確保できるという作用を有する。
【００２５】
また、浴室側吸気口をファン吸込口に対し、平面視重ならない位置に形成したとしたものであり、浴室から直接吸気する浴室側吸気口側の通気抵抗が増して、浴室からの吸気風量が他室からダクトを介して吸気する風量に対し多くなり過ぎないようにすることができるという作用を有する。
【００２６】
また、複数枚のシャッター板に、全閉時に互いに重なり合う重ね代を設けたとしたものであり、シャッターどうしの隙間をほとんどなくすことができる。という作用を有する。
【００２７】
また、浴室の戸を閉めると、連動して風量調節手段が全閉状態に切り替わる構成としたとしたものであり、入浴時に浴室の戸を閉めると、戸に設けたガラリから浴室内を通過していく換気通風を自動的に停止するという作用を有する。
【００２８】
以下、本発明の実施の形態について、図面を参照しながら説明する。
【００２９】
（実施の形態１）
図１および図２に示すように、浴室１の空気を吸い込んで浴室１内に吹き出す循環用送風機２と、浴室１および浴室１以外の他室３の空気を吸い込んで室外４へ排気する換気用送風機５とを本体６内に設け、本体６の側面に他室３とダクト７を介して連通接続される他室側吸気口８を形成し、本体６の下面側に装着される化粧パネル９を備えた浴室換気乾燥機であって、換気用送風機５のファンケーシング１０を本体６の下面側から覆い、他室側吸気口８とファンケーシング１０のファン吸込口１１を連通する換気風路形成カバー１２を設け、換気風路形成カバー１２に浴室側吸気口１３を形成し、浴室側吸気口１３に、複数枚のシャッター板１４を連動回動して開閉および開き角度を調節する風量調節手段１５を設けた構成とする。
【００３０】
また、風量調節手段１５は、複数枚のシャッター板１４を連動回動する駆動手段としてのモーター１６を設け、駆動手段としてのモーター１６によってシャッター板１４の開き角度を設定する構成とする。
【００３１】
上記構成により、風量調節手段の開閉によって換気、乾燥および暖房の各モードの運転が良好な状態に切り替えられるとともに、浴室側吸気口および他室側吸気口とファン吸込口を連通させる換気風路形成カバーに設けた風量調節手段によって、浴室と他室の換気風量のバランスを適切にとることができ、しかも、風量調節手段が複数枚のシャッター板によって構成されることにより、開閉における回動範囲が１枚のダンパーに比べて大幅に小さくなる。
【００３２】
また、駆動手段としてのモーター１６のシャフトの回動角度を設定することで、容易に細かなシャッター板１４の開き角度を設定できることとなる。
【００３３】
このように本発明の実施の形態１の浴室換気乾燥機によれば、換気、乾燥および暖房の各モードの運転が良好になされるとともに、浴室と他室の換気風量のバランスを、本体を高くすることなく、かつ、化粧パネルを厚くすることなく、適切にとることができることとなる。
【００３４】
また、駆動手段をモーターとすることで、モーターの回動角度を設定する操作をするだけで、シャッター板の開き角度を設定することができ、浴室と他室とのバランスを容易にとることができることとなる。
【００３５】
（実施の形態２）
図３において、図１および図２と同じ構成要素については同じ符号を用いその説明を省略する。
【００３６】
図３に示すように、複数枚のシャッター板１４を、複数組のシャッター板組１７に区分し、それぞれのシャッター板組１７に駆動手段としのてモーター１８を設けた構成とする。
【００３７】
上記構成により、換気、乾燥または常時換気等の運転モードに応じて最適な吸気状態となるように、個々のシャッター組の開閉および開き角度を設定する。
【００３８】
このように本発明の実施の形態２の浴室換気乾燥機によれば、各運転モードに応じてきめ細かな風量調節をして、最適な吸気状態とすることができることとなる。
【００３９】
（実施の形態３）
図４において、図１〜図３と同じ構成要素については同じ符号を用いその説明を省略する。
【００４０】
図４に示すように、浴室側吸気口１３を換気風路形成カバー１２の下面１９からシャッター板１４の回動高さより奥まった位置、すなわち、本体６の上面側に設けた構成とする。
【００４１】
上記構成により、本体の下面側に装着する化粧パネルと換気風路形成カバーに形成する浴室側吸気口との間に、換気風路としての空間を確保できる。
【００４２】
このように本発明の実施の形態３の浴室換気乾燥機によれば、浴室の換気風量を他室よりも多くすることが要求されるが、浴室からの吸気性能を化粧パネルを厚くすることなく確保したうえで、他室との適切なバランスをとることができることとなる。
【００４３】
（実施の形態４）
図５において、図１〜図４と同じ構成要素については同じ符号を用いその説明を省略する。
【００４４】
図５に示すように、浴室側吸気口１３をファン吸込口１１に対し、平面視重ならない位置に形成した構成とする。
【００４５】
上記構成により、浴室から直接吸気する浴室側吸気口側の通気抵抗が増して、浴室からの吸気風量が他室からダクトを介して吸気する風量に対し多くなり過ぎないようにすることができる。
【００４６】
このように本発明の実施の形態４の浴室換気乾燥機によれば、浴室と他室の換気風量の適切なバランスをとることができ、また、ファン吸込口から発生する騒音を低減することができることとなる。
【００４７】
（実施の形態５）
図６において、図１〜図５と同じ構成要素については同じ符号を用いその説明を省略する。
【００４８】
図６に示すように、複数枚のシャッター板１４に、全閉時に互いに重なり合う重ね代２０を設けた構成とする。
【００４９】
上記構成により、シャッターどうしの隙間をほとんどなくすことができる。
【００５０】
このように本発明の実施の形態５の浴室換気乾燥機によれば、風量調節手段の気密性が向上し、全閉時の運転モードの運転状態が良好なものとなることとなる。
【００５１】
（実施の形態６）
図７において、図１〜図６と同じ構成要素については同じ符号を用いその説明を省略する。
【００５２】
図７に示すように、浴室１の戸２１を閉めると、連動して風量調節手段１５が全閉状態に切り替わる構成とする。
【００５３】
上記構成により、入浴時に浴室の戸を閉めると、戸に設けたガラリから浴室内を通過していく換気通風を自動的に停止する。
【００５４】
このように本発明の実施の形態７の浴室換気乾燥機によれば、入浴時の浴室の換気による不快感をなくすことができることとなる。
【産業上の利用可能性】
【００５５】
本発明の浴室換気乾燥機は、換気、乾燥および暖房の各モードの運転が良好にできるように開閉するとともに、浴室と他室の換気風量のバランスを適切にとることができる風量調節手段を、本体および化粧パネルを厚くすることなく、備えた構成により、天井埋込換気扇や換気システムにも適用できる。
【図面の簡単な説明】
【００５６】
【図１】本発明の実施の形態１の浴室換気乾燥機の設置状態を示す側面構成図
【図２】同浴室換気乾燥機の化粧パネルを外した状態を示す底面構成図
【図３】本発明の実施の形態２の浴室換気乾燥機のシャッター板を示す底面図
【図４】本発明の実施の形態３の浴室換気乾燥機の側面構成図
【図５】本発明の実施の形態４の浴室換気乾燥機の化粧パネルを外した状態を示す底面構成図
【図６】本発明の実施の形態５の浴室換気乾燥機のシャッター板を示す拡大詳細図
【図７】本発明の実施の形態６の浴室換気乾燥機の設置状態を示す側面構成図
【符号の説明】
【００５７】
１    浴室
２    循環用送風機
３    他室
４    室外
５    換気用送風機
６    本体
７    ダクト
８    他室側吸気口
９    化粧パネル
１０  ファンケーシング
１１  ファン吸込口
１２  換気風路形成カバー
１３  浴室側吸気口
１４  シャッター板
１５  風量調節手段
１６  モーター
１７  シャッター板組
１８  モーター
１９  下面
２０  重ね代
２１  戸
【図１】
2010038427.tif 000003
【図２】
2010038427.tif 000004
【図３】
2010038427.tif 000005
【図４】
2010038427.tif 000006
【図５】
2010038427.tif 000007
【図６】
2010038427.tif 000008
【図７】
2010038427.tif 000009